(57)【要約】【課題】平型ケーブルとコネクタとの接続時の幅方向の位置ずれを防止できるようにする。【解決手段】平型ケーブル１０とコネクタ２０との接続構造１では、平型ケーブル１０は、幅方向Ｘに並べて配置された線状の複数の導体１１を有する。コネクタ２０は、平型ケーブル１０が挿脱自在に挿入するように構成される。コネクタ２０は、挿入方向Ｙに沿って突起する凸部２１を有し、平型ケーブル１０は凸部２１と嵌合する凹部１３を有する。凹部１３は、凹部１３の底部側ほど幅方向Ｘに互いに近接するように挿入方向Ｙに対して傾斜する一対の第１傾斜面１３１，１３２を有する。凸部２１は、第１傾斜面１３１，１３２にそれぞれ平行な一対の第２傾斜面２１１，２１２を有する。【選択図】図１
2017004675.tif 000002
【特許請求の範囲】
【請求項１】
幅方向に並べて配置された線状の複数の導体を有する平型ケーブルと、
前記平型ケーブルが挿脱自在に挿入するコネクタとを備え、
前記平型ケーブル及び前記コネクタのうち一方は、挿入方向に沿って他方へ向けて突起する少なくとも１個の凸部を有し、前記他方は前記凸部と嵌合する凹部を有し、
前記凹部は、前記凹部の底部側ほど前記幅方向に互いに近接するように前記挿入方向に対して傾斜する一対の第１傾斜面を有し、
前記凸部は、前記第１傾斜面にそれぞれ平行な一対の第２傾斜面を有する、平型ケーブルとコネクタとの接続構造。
【請求項２】
前記凹部は、前記平型ケーブル又は前記コネクタにおける前記幅方向について非対称な位置に設けられる、請求項１に記載の平型ケーブルとコネクタとの接続構造。
【請求項３】
前記凹部は、１個のみ設けられ、前記幅方向において中央部以外の位置に設けられる、請求項１又は２に記載の平型ケーブルとコネクタとの接続構造。
【請求項４】
前記凹部は、三角形状の断面形状を有する、請求項１から３のいずれかに記載の平型ケーブルとコネクタとの接続構造。
【請求項５】
前記凹部は、台形状の断面形状を有する、請求項１から３のいずれかに記載の平型ケーブルとコネクタとの接続構造。
【発明の詳細な説明】
【技術分野】
【０００１】
この発明は、携帯電話機、パーソナルコンピュータ、デジタルカメラ、複写機、及び液晶表示装置等の電子機器に備えられる平型ケーブルとコネクタとの接続構造に関する。
【背景技術】
【０００２】
フレキシブルフラットケーブル（ＦＦＣ：Flexible Flat Cable）、フレキシブルプリント回路基板（ＦＰＣ：FlexiblePrinted Circuit）等の平型ケーブルは、一対の絶縁体、及び一対の絶縁体間に幅方向に並べて配置された線状の複数の導体を有し、複数の導体のそれぞれの端部が一対の絶縁体間から露出して接続端子となるように構成されている。また、コネクタは、接続端子のそれぞれに接触するように構成された複数の接触端子を有している。
【０００３】
複数の接続端子と複数の接触端子とは、信号の伝達エラー及びショート等の不具合を防ぐために、それぞれ対応する接続端子と接触端子とが接触し、対応しない接続端子と接触端子とは接触しないようにする必要がある。このため、平型ケーブルとコネクタとの幅方向の位置ずれを防止することが重要である。
【０００４】
そこで、幅方向に連続する複数の凹凸を有する第１プリント基板と、第１プリント基板の複数の凹凸と噛み合う連続する複数の凹凸を有する第２プリント基板とを、互いの凹凸が噛み合うように配置し、凹凸の接触部に端子を設けた接続構造が知られている（例えば、特許文献１参照。）。この従来の接続構造では、第１プリント基板の凹凸と第２プリント基板の凹凸とを噛み合わせるように第１プリント基板の端子と第２プリント基板の端子とを接続することで、誤接続及びショートを防ぐことが意図されている。
【先行技術文献】
【特許文献】
【０００５】
【特許文献１】特開２００３−３１７８３０号公報
【発明の概要】
【発明が解決しようとする課題】
【０００６】
しかし、特許文献１記載の従来の接続構造では、形状及びサイズともに同様である凹凸が幅方向に連続的に形成されているので、第１プリント基板の凹凸と第２プリント基板の凹凸とが、正規位置から幅方向に凹凸のピッチの整数倍分だけ位置ずれした状態で噛み合わされた場合でも、第１プリント基板の端子と第２プリント基板の端子とが接続されてしまう虞がある。従来の接続構造では、第１プリント基板の凹凸と第２プリント基板の凹凸とが、正規位置から幅方向に位置ずれした状態で噛み合わされると、第１プリント基板の端子と第２プリント基板の端子とは、対応しない端子同士が接続されてしまう。
【０００７】
この発明の目的は、平型ケーブルとコネクタとの接続時の幅方向の位置ずれを防止できる平型ケーブルとコネクタとの接続構造を提供することにある。
【課題を解決するための手段】
【０００８】
この発明の平型ケーブルとコネクタとの接続構造は、平型ケーブル、及びコネクタを備える。平型ケーブルは、幅方向に並べて配置された線状の複数の導体を有する。コネクタは、平型ケーブルが挿脱自在に挿入するように構成される。平型ケーブル及びコネクタのうち一方は、挿入方向に沿って他方へ向けて突起する少なくとも１個の凸部を有し、他方は凸部と嵌合する凹部を有する。凹部は、凹部の底部側ほど幅方向に互いに近接するように挿入方向に対して傾斜する一対の第１傾斜面を有する。凸部は、第１傾斜面にそれぞれ平行な一対の第２傾斜面を有する。
【０００９】
この構成では、平型ケーブルをコネクタに挿入していくと、幅方向において、平型ケーブルとコネクタとの所定の正規位置から、平型ケーブルとコネクタとが多少ずれている場合でも、互いに平行な第１傾斜面の一方と第２傾斜面の一方とが摺動することで、平型ケーブルとコネクタとが正規位置へ誘導される。
【００１０】
上述の構成において、凹部は、平型ケーブル又はコネクタにおける幅方向について非対称な位置に設けられることが好ましい。
【００１１】
この構成では、凹部及び凸部が、一対又は複数対設けられる。平型ケーブルがコネクタに幅方向において正規位置に対して反対向きに挿入された場合は、凹部と凸部とが嵌合しなくなる。このため、平型ケーブルがコネクタに幅方向において正規位置に対して反対向きに挿入される逆挿しを防止することができる。
【００１２】
また、凹部は、１個のみ設けられ、幅方向において中央部以外の位置に設けられるように構成することもできる。
【００１３】
この構成では、平型ケーブルがコネクタに幅方向において正規位置に対して反対向きに挿入された場合は、凹部と凸部とが嵌合しなくなる。このため、平型ケーブルがコネクタに幅方向において正規位置に対して反対向きに挿入される逆挿しを防止することができる。
【００１４】
さらに、凹部は、三角形状の断面形状を有するように構成することもできる。
【００１５】
この構成では、凹部の三角形の傾斜面と、この傾斜面に平行な凸部の傾斜面とが摺動することで、平型ケーブルとコネクタとが正規位置へ誘導される。
【００１６】
また、凹部は、台形状の断面形状を有するように構成することもできる。
【００１７】
この構成では、凹部の台形の傾斜面と、この傾斜面に平行な凸部の傾斜面とが摺動することで、平型ケーブルとコネクタとが正規位置へ誘導される。
【発明の効果】
【００１８】
この発明によれば、平型ケーブルとコネクタとの接続時の幅方向の位置ずれを防止することができる。
【図面の簡単な説明】
【００１９】
【図１】この発明の第１実施形態に係る平型ケーブルとコネクタとの接続構造の断面図である。
【図２】平型ケーブルに設けられた凹部の拡大図である。
【図３】（Ａ）〜（Ｃ）は平型ケーブルをコネクタに挿入する様子を示した図である。
【図４】（Ａ）及び（Ｂ）は、第１比較例に係る接続構造の平型ケーブルをコネクタに挿入する様子を示した図である。
【図５】（Ａ）及び（Ｂ）は、第２比較例に係る接続構造の平型ケーブルをコネクタに挿入する様子を示した図である。
【図６】（Ａ）〜（Ｃ）は第２実施形態に係る接続構造の平型ケーブルをコネクタに挿入する様子を示した図である。
【図７】第３実施形態に係る平型ケーブルとコネクタとの接続構造の断面図である。
【図８】第４実施形態に係る平型ケーブルとコネクタとの接続構造の断面図である。
【発明を実施するための形態】
【００２０】
［第１実施形態］
図１に示すように、第１実施形態に係る平型ケーブル１０とコネクタ２０との接続構造１について、平型ケーブル１０としてＦＦＣを用いた場合について説明する。
【００２１】
平型ケーブル１０は、一対の絶縁体、及び複数の導体１１を有する。導体１１は、厚さ数十μｍの平角状の銅線である。複数の導体１１は、互いに平行に、幅方向Ｘに等間隔に並べて配置されている。一例として、導体１１同士の間隔即ち配線ピッチは、０．２〜０．５ｍｍの範囲内である。導体１１は、一対の絶縁体間に挟まれている。このように、平型ケーブル１０は、厚さ１００〜３００μｍの薄く柔軟性に富んだテープ状の電線である。平型ケーブル１０の端子部１２は、非導電性の補強部材によって補強されている。複数の導体１１のそれぞれの端部は、端子部１２において、一対の絶縁体間から露出して接続端子となるように構成されている。
【００２２】
コネクタ２０は、平型ケーブル１０が挿脱自在なように構成され、平型ケーブル１０が正規位置に挿入された際に平型ケーブル１０の接続端子のそれぞれに接触するように構成された複数の接触端子を有している。正規位置は、それぞれ対応する接続端子と接触端子とが接触し、対応しない接続端子と接触端子とは接触しない所定の位置である。
【００２３】
コネクタ２０は、平型ケーブル１０の挿入方向Ｙに沿って平型ケーブル１０へ向けて突起する少なくとも１個の凸部２１を有している。この実施形態では、凸部２１は、コネクタ２０の幅方向Ｘの中央部に１個設けられている。
【００２４】
平型ケーブル１０は、端子部１２に、凸部２１と嵌合する凹部１３を有している。凹部１３は、凹部１３の底部側ほど幅方向Ｘに互いに近接するように挿入方向Ｙに対して傾斜する一対の第１傾斜面１３１，１３２を有している。凹部１３の、幅方向Ｘ及び挿入方向Ｙを含む面に平行な断面の形状は、三角形状である。
【００２５】
図２に示すように、凹部１３の第１傾斜面１３１と第１傾斜面１３２との角度Ａは、６０〜９０度の範囲内であることが好ましい。また、一例として、凹部１３の深さＤは、１．０〜１．５ｍｍの範囲内である。幅方向Ｘにおける凹部１３の開口部の寸法は、導体１１の配線ピッチよりも大きく、複数本分ある。なお、図２以降の図では、導体１１の記載が省略されている。
【００２６】
凸部２１は、第１傾斜面１３１，１３２にそれぞれ平行な一対の第２傾斜面２１１，２１２を有している。凸部２１の、幅方向Ｘ及び挿入方向Ｙを含む面に平行な断面の形状は、凹部１３と同形状であり、かつ同サイズであることが好ましい。
【００２７】
図３（Ａ）〜図３（Ｃ）に示すように、平型ケーブル１０をコネクタ２０に挿入していくと、幅方向Ｘにおいて、平型ケーブル１０とコネクタ２０とが正規位置から多少ずれている場合でも、互いに平行な、第１傾斜面１３１と第２傾斜面２１１又は第１傾斜面１３２と第２傾斜面２１２とが摺動することで、平型ケーブル１０がコネクタ２０に対して正規位置へ誘導される。
【００２８】
また、幅方向Ｘにおいて、凸部２１の先端が凹部１３内に位置しないほどに、平型ケーブル１０とコネクタ２０とが正規位置から大きくずれている場合は、平型ケーブル１０をコネクタ２０に挿入することができないので、幅方向Ｘに位置ずれした状態では、平型ケーブル１０とコネクタ２０とを接続できない。
【００２９】
したがって、平型ケーブル１０とコネクタ２０との接続時の幅方向Ｘの位置ずれを防止することができる。
【００３０】
図４（Ａ）及び図４（Ｂ）に示すように、第１比較例に係る接続構造では、凹部１１３及び凸部１２１の、幅方向Ｘ及び挿入方向Ｙを含む面に平行な断面の形状は、半円形である。このため、平型ケーブル１１０をコネクタ１２０に挿入していく際に、幅方向Ｘにおいて、平型ケーブル１１０とコネクタ１２０とが正規位置から多少ずれている場合、凹部１１３の幅方向Ｘの端部の角１１４が凸部１２１に衝突することで、角１１４が折れ曲がってコネクタ１２０に平型ケーブル１１０を挿入できなくなる問題や、平型ケーブル１１０の接続端子が補強部材から剥離し浮き上がることで隣接する接続端子と接触したり平型ケーブル１１０とコネクタ１２０とを接続できなくなったりする問題が起こる虞がある。
【００３１】
図５（Ａ）及び図５（Ｂ）に示すように、第２比較例に係る接続構造では、凹部２１３及び凸部２２１の、幅方向Ｘ及び挿入方向Ｙを含む面に平行な断面の形状は、四角形である。第２比較例の場合も第１比較例の場合と同様に、平型ケーブル２１０をコネクタ２２０に挿入していく際に、幅方向Ｘにおいて、平型ケーブル２１０とコネクタ２２０とが正規位置から多少ずれている場合、凹部２１３の幅方向Ｘの端部の角２１４が凸部２２１に衝突することで、角２１４が折れ曲がってコネクタ２２０に平型ケーブル２１０を挿入できなくなる問題や、平型ケーブル２１０の接続端子が補強部材から剥離し浮き上がることで隣接する接続端子と接触したり平型ケーブル２１０とコネクタ２２０とを接続できなくなったりする問題が起こる虞がある。
【００３２】
これに対して、第１実施形態に係る接続構造１では、上述のように、互いに平行な、第１傾斜面１３１と第２傾斜面２１１又は第１傾斜面１３２と第２傾斜面２１２とが摺動し、平型ケーブル１０がコネクタ２０に対して正規位置へ誘導されるので、凹部１３の角が折れ曲がる等の上記のような諸問題は防止される。
【００３３】
［第２実施形態］
図６（Ａ）〜図６（Ｃ）に示すように、第２実施形態に係る平型ケーブル１０Ａとコネクタ２０Ａとの接続構造１Ａでは、凹部１３Ａ及び凸部２１Ａの、幅方向Ｘ及び挿入方向Ｙを含む面に平行な断面の形状は、台形状である。
【００３４】
平型ケーブル１０Ａをコネクタ２０Ａに挿入していくと、幅方向Ｘにおいて、平型ケーブル１０Ａとコネクタ２０Ａとが正規位置から多少ずれている場合でも、互いに平行な、第１傾斜面１３１Ａと第２傾斜面２１１Ａ又は第１傾斜面１３２Ａと第２傾斜面２１２Ａとが摺動することで、平型ケーブル１０がコネクタ２０に対して正規位置へ誘導される。
【００３５】
したがって、平型ケーブル１０Ａとコネクタ２０Ａとの接続時の幅方向Ｘの位置ずれを防止することができる。
【００３６】
このように、凹部１３，１３Ａ及び凸部２１，２１Ａの、幅方向Ｘ及び挿入方向Ｙを含む面に平行な断面の形状は、凹部１３，１３Ａは挿入方向Ｙに対して傾斜する一対の第１傾斜面を有し、凸部２１，２１Ａは第１傾斜面にそれぞれ平行な一対の第２傾斜面を有し、かつ凹部１３，１３Ａと凸部２１，２１Ａとが嵌合する形状であれば、三角形状又は台形状であることに限定されず、平型ケーブル１０，１０Ａとコネクタ２０，２０Ａとの接続時の幅方向Ｘの位置ずれを防止することができる。
【００３７】
［第３実施形態］
図７（Ａ）に示すように、第３実施形態に係る平型ケーブル１０Ｂとコネクタ２０Ｂとの接続構造１Ｂでは、凹部１３Ｂは、平型ケーブル１０Ｂにおける幅方向Ｘについて非対称な位置に設けられている。一例として、凹部１３Ｂは、端子部１２Ｂに１個のみ設けられ、幅方向Ｘにおいて平型ケーブル１０Ｂの中央部以外の位置に設けられている。凸部２１Ｂは、平型ケーブル１０Ｂとコネクタ２０Ｂとが正規位置において接続された際に凹部１３Ｂと嵌合する位置に設けられている。
【００３８】
図７（Ｂ）に示すように、平型ケーブル１０Ｂがコネクタ２０Ｂに幅方向Ｘにおいて正規位置に対して反対向きに挿入された場合は、凹部１３Ｂと凸部２１Ｂとが嵌合しなくなる。このため、平型ケーブル１０Ｂがコネクタ２０Ｂに幅方向Ｘにおいて正規位置に対して反対向きに挿入される逆挿しを防止することができる。
【００３９】
なお、凹部１３Ｂ及び凸部２１Ｂが、図７（Ａ)に示すように一対のみ設けられることに限定されず、複数対設けることもできる。複数対の凹部１３Ｂ及び凸部２１Ｂは、幅方向Ｘについて非対称な位置に設けられる。これによって、凹部１３Ｂ及び凸部２１Ｂが複数対設けられた場合も、逆挿しを防止できる。
【００４０】
［第４実施形態］
図８に示すように、第４実施形態に係る平型ケーブル１０Ｃとコネクタ２０Ｃとの接続構造１Ｃでは、平型ケーブル１０Ｃが凸部２１Ｃを有し、コネクタ２０Ｃが凹部１３Ｃを有している。この構成においても、平型ケーブル１０Ｃをコネクタ２０Ｃに挿入していくと、幅方向Ｘにおいて、平型ケーブル１０Ｃとコネクタ２０Ｃとが正規位置から多少ずれている場合でも、互いに平行な凸部２１Ｃの傾斜面と凹部１３Ｃの傾斜面とが摺動することで、平型ケーブル１０Ｃがコネクタ２０Ｃに対して正規位置へ誘導され、平型ケーブル１０Ｃとコネクタ２０Ｃとの接続時の幅方向Ｘの位置ずれを防止することができる。
【００４１】
このように、平型ケーブル１０Ｃ及びコネクタ２０Ｃのうち、一方は、挿入方向Ｙに沿って他方へ向けて突起する少なくとも１個の凸部２１Ｃを有し、他方は凸部２１Ｃと嵌合する凹部１３Ｃを有するように構成することができる。
【００４２】
なお、平型ケーブルとしてＦＰＣを用いた場合についても実質的に同様に構成でき、同様の効果が奏される。
【００４３】
また、第２実施形態の台形状の凹部１３Ａ及び凸部２１Ａを図７（Ａ)に示すように非対称な位置に設けることや、台形状の凹部１３Ａをコネクタ２０Ａに設け、台形状の凸部２１Ａを平型ケーブル１０Ａに設けることも考えられる。
【００４４】
上述の実施形態のそれぞれの技術的特徴を互いに組み合わせることで、新たな実施形態を構成することが考えられる。
【００４５】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４６】
１，１Ａ，１Ｂ，１Ｃ…接続構造
１０，１０Ａ，１０Ｂ，１０Ｃ…平型ケーブル
１１…導体
１２…端子部
１３，１３Ａ，１３Ｂ，１３Ｃ…凹部
１３１，１３２，１３１Ａ，１３２Ａ…第１傾斜面
２１１，２１２，２１１Ａ，２１２Ｂ…第２傾斜面
２０，２０Ａ，２０Ｂ，２０Ｃ…コネクタ
２１，２１Ａ，２１Ｂ，２１Ｃ…凸部
Ｘ…幅方向
Ｙ…挿入方向
【図１】
2017004675.tif 000003
【図２】
2017004675.tif 000004
【図３】
2017004675.tif 000005
【図４】
2017004675.tif 000006
【図５】
2017004675.tif 000007
【図６】
2017004675.tif 000008
【図７】
2017004675.tif 000009
【図８】
2017004675.tif 000010